(57)【要約】      （修正有）【課題】フィールドシーケンシャル方式を採用する液晶表示装置において、特に、液晶表示装置の下方向および左右両方向の視角からの最適なコントラストの表示を可能とし、良好な視認性を得ることができる液晶表示装置を提供する。【解決手段】ＴＮ型液晶１１４が封入された第１液晶表示素子１と、前記第１液晶表示素子１と同一に駆動される第２液晶表示素子２を備え、前記第１液晶表示パネル３および第２液晶表示パネル４はそれぞれ、前記ＴＮ型液晶１１４、１１５の層厚ｄＬＣを１．５〜３．０μｍ、位相差値ΔｎＬＣ・ｄＬＣを３００〜６００ｎｍとし、前記第１液晶表示パネル３の視認側に配置される配向膜１０８の配向軸と前記第２液晶表示パネル４の視認側に配置される配向膜１１０の配向軸との公差角を５０〜９０°とする。【選択図】      図１
2004233889.tif 000002
【特許請求の範囲】
【請求項１】
液晶表示素子の反視認側に複数の単位色を選択的に切り換えて発光するバックライトユニットを備え、前記液晶表示素子の画素毎の透光を前記バックライトユニットからの各単位色の発光に同期させて選択的に制御し、各単位色のそれぞれの表示パターンを高速で連続的に時分割方式で重ねて表示して所望の表示を行なう液晶表示装置であって、
配向膜が形成された面を対向させて間隔を隔ててほぼ平行に配置された一対の透明基板間にＴＮ型液晶が封入された第１液晶表示パネルおよび前記第１液晶表示パネルを挟持するように偏光軸を直交させて配置された２枚の偏光板からなる第１液晶表示素子と、
配向膜が形成された面を対向させて間隔を隔ててほぼ平行に配置された一対の透明基板間にＴＮ型液晶が封入された第２液晶表示パネルおよび前記第２液晶表示パネルを挟持するように偏光軸を直交させて配置された２枚の偏光板とからなり、前記第１液晶表示素子の反視認側に配設され、前記第１液晶表示素子と同一に駆動される第２液晶表示素子と
を備え、
前記第１液晶表示パネルおよび第２液晶表示パネルはそれぞれ、前記液晶の層厚ｄＬＣが１．５〜３．０μｍ、位相差値ΔｎＬＣ・ｄＬＣが３００〜６００ｎｍとされ、
前記第１液晶表示パネルの視認側に配置される配向膜の配向軸と前記第２液晶表示パネルの視認側に配置される配向膜の配向軸との公差角が５０〜９０°とされていることを特徴とする液晶表示装置。
【請求項２】
前記第１液晶表示パネルおよび第２液晶表示パネルにはそれぞれ、前記画素間を遮光する遮光膜が配設されている請求項１に記載の液晶表示装置。
【請求項３】
前記バックライトユニットは、赤、青、緑の発光ダイオードを有する請求項１または２に記載の液晶表示装置。
【発明の詳細な説明】
【０００１】
【発明の属する技術分野】
本発明は、液晶を利用したディスプレイに使用される液晶表示装置に係り、特に、ＴＮ（Ｔｗｉｓｔｅｄ  Ｎｅｍａｔｉｃ）型液晶を用いたフィールドシーケンシャル方式の液晶表示装置において広視野角を確保するとともに、良好なコントラストを示すことのできる液晶表示装置に関する。
【０００２】
【従来の技術】
近年、高精細なカラー表示が可能な液晶表示装置として、例えば、特許文献１に示すようなフィールドシーケンシャル方式を用いたカラー液晶表示装置（以下、ＦＳ液晶表示装置と記す。）が多く利用されている。
【０００３】
このＦＳ液晶表示装置は、間隔を隔ててほぼ平行に配置された一対の透明基板、各透明基板の対向面にそれぞれ形成された一対の透明電極、各透明電極上にそれぞれ形成された一対の配向膜、各透明基板間を所定の間隔で維持しつつその周縁を接合し封止するシール材およびその封入空間内に封入された液晶から構成された液晶表示パネルと、前記液晶表示パネルを挟持する一対の偏光板と、複数の単位色、例えば赤、緑、青の光源色の３色を選択的に発光するバックライトユニットとを備えている。
【０００４】
このフィールドシーケンシャル方式を用いたカラー表示の原理は、前記液晶表示パネルをその背面側から照射する前記バックライトユニットの各色の発光に同期させて特定フィールドを選択的に透光可能に開口させる光シャッタとして用いるとともに、前記バックライトユニットの３色の発光を高速度で切換えることにより、３色のそれぞれの表示パターンを高速で連続的に時分割方式で重ねて表示して所望のカラー表示を行なうというものである。前記液晶表示パネルの光シャッタとしての作用をより詳しく説明すれば、カラー表示を行う特定フィールドの各１画素を構成する前記一対の透明基板に形成された透明電極に対し、選択的に電圧を印加することにより、当該特定フィールドの液晶の分子配列を変化させ、当該特定フィールドでのみ光の透過率を変化させるように作用することとなる。
【０００５】
例えば、ある特定フィールドの１画素を赤で表示したいとき、赤のバックライトユニットの点灯・発光時には光を透過させ、他の緑および青のバックライトユニットの点灯・発光時には光を遮光させるようにする。
【０００６】
ところで、一般的に、液晶表示装置には、高速応答性、高コントラスト、高精細表示、広視野角といった特性が求められる。前述のようにしてカラー表示を行うＦＳ液晶表示装置においては、バックライトユニットの赤、緑、青の各色の切換周波数は、通常時が６０Ｈｚである場合には、その３倍の１８０Ｈｚで切換えなければならず、特に、高速応答化が要求されている。
【０００７】
また、ＦＳ液晶表示装置は、赤、緑、青の３色のカラーフィルターを用いてカラー表示する液晶表示装置と同じ面積で３倍の画素を表現できるため、高精細な表示が可能となる。そのため、駅や空港等の各種案内表示板やメッセージボードといった比較的大型の表示装置として用いられることも多く、その場合には、観者が見上げる位置に配置されることや、観者が表示装置の画面を必ずしも正面から視認できるとは限らないこと等を勘案し、特に、液晶表示装置の画面に対する下方からの視角や左右両方向からの視角に対しても良好な視認性（高コントラスト）を示す広視野角化が要求されている。
【０００８】
これらの要求に対し、近年では、例えば、液晶が封止されることとなる一対の透明基板間を低ギャップに形成して高速応答化させたり、液晶表示パネルに封入する液晶としてＴＮ型液晶を用い、その液晶表示パネルを挟持するようにして２枚の偏光板をその偏光軸を直交させて配置した液晶表示装置においては、液晶がより規則正しく配列する垂直配向時に光を遮光させるべく、液晶表示パネルを簡略図示した図１５（１）に示すように、オフ電圧印加時は液晶はねじれ配向となって光を透過させ、図１５（２）に示すように、オン電圧印加時は液晶は垂直配向となって光を遮光するノーマリーホワイトモードを採用して高コントラスト化させることがなされている。なお、液晶表示パネルを簡略図示した図１５中、３０１は視認側の透明基板、３０２は反視認側の透明基板、３０３は液晶層、３０４はブラックマスクを示す。
【０００９】
このノーマリーホワイトモードを採用した液晶表示装置においては、前述のように、ある特定フィールドの１画素を赤で表示したいとき、赤のバックライトユニットの点灯・発光時には、当該１画素に対応する前記透明電極にオフ電圧を印加して光を透過させ、他の緑および青のバックライトユニットの点灯・発光時には、当該１画素に対応する前記透明電極にオン電圧を印加して光を遮光させることとなる。
【００１０】
そして、前記広視野角化の要求に対しては、例えば、特許文献２に示すような、広視野角の表示を目的とする偏光膜（以下、広視野角偏光板と略記する。）が開発・研究されている。
【００１１】
また、ノーマリーホワイトモードの広視野角化として、富士写真フイルム社製のディスコチック液晶をハイブリッド配向させた液晶ポリマー補償フィルム（ＷＶフィルム）や新日本石油社製のネマチック液晶をハイブリッド配向させたもの（ＮＨフィルム）が知られており、ＷＶフィルムにおいては偏光板と一体型の広視野角偏光板が市販されている。
【００１２】
【特許文献１】
特開２００２−３０３８４６号公報
【特許文献２】
特開２００２−２２９４３号公報
【００１３】
【発明が解決しようとする課題】
しかしながら、後述する比較例（従来例）にも示すように、公衆表示用の液晶表示装置の視野角としては未だ十分なものではなかった。
【００１４】
そこで、本発明はこのような点に鑑み、フィールドシーケンシャル方式を採用する液晶表示装置において、特に、液晶表示装置の下方向および左右両方向の視角からの最適なコントラストの表示を可能とし、良好な視認性を得ることができる液晶表示装置を提供することを目的とする。
【００１５】
【課題を解決するための手段】
前述した目的を達成するため、本発明の請求項１に係る液晶表示装置の特徴は、液晶表示素子の反視認側に複数の単位色を選択的に切り換えて発光するバックライトユニットを備え、前記液晶表示素子の画素毎の透光を前記バックライトユニットからの各単位色の発光に同期させて選択的に制御し、各単位色のそれぞれの表示パターンを高速で連続的に時分割方式で重ねて表示して所望の表示を行なう液晶表示装置であって、配向膜が形成された面を対向させて間隔を隔ててほぼ平行に配置された一対の透明基板間にＴＮ型液晶が封入された第１液晶表示パネルおよび前記第１液晶表示パネルを挟持するように偏光軸を直交させて配置された２枚の偏光板からなる第１液晶表示素子と、配向膜が形成された面を対向させて間隔を隔ててほぼ平行に配置された一対の透明基板間にＴＮ型液晶が封入された第２液晶表示パネルおよび前記第２液晶表示パネルを挟持するように偏光軸を直交させて配置された２枚の偏光板からなり、前記第１液晶表示素子の反視認側に配設され、前記第１液晶表示素子と同一に駆動される第２液晶表示素子とを備え、前記第１液晶表示パネルおよび第２液晶表示パネルはそれぞれ、前記液晶の層厚ｄＬＣが１．５〜３．０μｍ、位相差値ΔｎＬＣ・ｄＬＣが３００〜６００ｎｍとされ、前記第１液晶表示パネルの視認側に配置される配向膜の配向軸と前記第２液晶表示パネルの視認側に配置される配向膜の配向軸との公差角が５０〜９０°とされている点にある。
【００１６】
このような構成を採用することにより、液晶表示装置の下方向および左右両方向からの視角に対して最良のコントラストを得て、極めて良好な視認性を得ることができ、広視野角化を実現することができる。
【００１７】
また、請求項２に係る液晶表示装置の特徴は、請求項１に記載の液晶表示装置において、前記第１液晶表示パネルおよび第２液晶表示パネルにはそれぞれ、前記画素間を遮光する遮光膜が配設されている点にある。
【００１８】
このような構成を採用することにより、カラー表示時における光漏れを防止することができ、コントラストを向上させることが可能となる。
【００１９】
さらに、請求項３に係る液晶表示装置の特徴は、請求項１または２に記載の液晶表示装置において、前記バックライトユニットは、赤、青、緑の発光ダイオードを有する点にある。
【００２０】
このような構成を採用することにより、カラー表示時における輝度を十分に確保することができる。
【００２１】
【発明の実施の形態】
本実施形態の液晶表示装置は、図１に示すように、厚み方向に積層された２枚の液晶表示素子１，２を有したＦＳ液晶表示装置である。
【００２２】
本実施形態のＦＳ液晶表示装置の前記各液晶表示素子１、２はそれぞれ、９０°のツイスト角を有するＴＮ型液晶が封入された液晶表示パネル３、４と、２枚ずつの偏光板５，６、７，８とから構成されている。
【００２３】
より詳しく説明すると、前記各液晶表示パネル３、４は、間隔を隔ててほぼ並行に配置された２枚のガラスのような材質からなる透明基板１００，１０１、１０２，１０３を有している。各透明基板１００、１０１、１０２、１０３上には、それぞれ透明電極１０４、１０５、１０６、１０７と、前記透明電極１０４、１０５、１０６、１０７に印加される電圧に応じて液晶分子の配向を制御する配向膜１０８、１０９、１１０、１１１とが積層形成されており、各液晶表示パネル３、４を構成するそれぞれ２枚の透明基板１００，１０１、１０２，１０３はそれぞれの前記配向膜１０８、１０９、１１０、１１１の形成面を対向させた状態でその周縁をシール材１１２、１１３により接合され密閉されている。この透明基板１００，１０１、１０２，１０３とシール材１１２、１１３により囲繞された密閉空間には、ツイスト角を９０°とし、位相差値ΔｎＬＣ・ｄＬＣが３００〜６００ｎｍ、好ましくは３５０〜５００ｎｍに設定されたＴＮ型液晶１１４、１１５が封入され、液晶層とされている。
【００２４】
また、前記各液晶表示パネル３，４は、前記液晶層厚ｄＬＣが１．５〜３．０μｍ、好ましくは１．５〜２．５μｍに設定されている。液晶層厚ｄＬＣが１．５μｍよりも小さくなると液晶表示パネルの製造が困難になり、３．０μｍを超えると応答速度が遅くなるためである。
【００２５】
また、視認側に配設された液晶表示素子（以下、第１液晶表示素子と称する。）１を構成する液晶表示パネル（以下、第１液晶表示パネルと称する。）３の視認側に配置される配向膜１０８の配向軸と、反視認側に配設された液晶表示素子（以下、第２液晶表示素子と称する。）２を構成する液晶表示パネル（以下、第２液晶表示パネルと称する。）４の視認側に配置される配向膜１１０の配向軸との公差角は５０〜９０°、好ましくは、５０〜８５°に設定されている。この公差角が５０°よりも小さくなると透過率が小さくなってしまい、９０°を超えると広角視野化の効果が小さくなるためである。
【００２６】
また、前記各液晶表示パネル３、４の内部には、各液晶表示素子１、２の画素間を遮光する遮光膜１１６、１１７が配設されている。このように遮光膜１１６、１１７を画素間に形成することにより、カラー表示時における光漏れを防止することができ、コントラストを向上させることが可能となる。
【００２７】
また、前記偏光板５，６、７，８は、前記各液晶表示素子１、２においてそれぞれ前記各液晶表示パネル３、４を挟持するようにして、その偏光軸を直交させて配置されており、各液晶表示パネル３、４の視認側に配設される偏光板１０８、１１０の偏光軸は、それぞれの液晶表示パネル３、４の視認側に配設された透明基板１００、１０２の配向軸と直交し、かつ、各液晶表示パネル３、４の反視認側に配設される偏光板１０９、１１１の偏光軸は、それぞれの液晶表示パネル３、４の反視認側に配設された透明基板１０１、１０３の配向軸と直交するように配設されている。なお、前記偏光板５、６、７、８として、前記広視野角偏光板を用いることも可能である。
【００２８】
さらに、本実施形態の液晶表示装置は、前記第２液晶表示素子２の反視認側に、光源としての赤、青、緑の発光ダイオードを有し、前記発光ダイオードの各単位色を選択的に切り換えて発光するバックライトユニット（図示せず）が配設されている。このように、バックライトユニットに発光ダイオードを用いることにより、普通の蛍光表示管（ＶＦＤ）等を用いる場合よりも輝度を確保することができ、良好なカラー表示を行うことができる。
【００２９】
そして、前記第１液晶表示素子１および第２液晶表示素子２の画素毎の透光を前記バックライトユニットからの各色の発光に同期させて選択的、且つ、同一に駆動制御し、各単位色のそれぞれの表示パターンを高速で連続的に時分割方式で重ねて表示して所望のカラー表示を行なうように構成されている。
【００３０】
本実施形態の液晶表示装置のように、ＴＮ型液晶を封入した前記第１液晶表示素子１と第２液晶表示素子２とを、第１液晶表示パネル３の視認側に配置される配向膜１０８の配向軸と、第２液晶表示パネル４の視認側に配置される配向膜の配向軸１１０との公差角が５０〜９０°、好ましくは５０〜８５°となるように配置した構成とすることで、液晶表示装置の下方向および左右両方向からの視角に対して最良のコントラストを得て、極めて良好な視認性を得ることができ、広視野角化を実現するものとなる。以下に、前述した本実施形態の液晶表示装置の具体的な実施例を示し、従来の仕様の液晶表示装置（比較例）と比較して説明する。
【００３１】
［実施例１］
本実施例の液晶表示装置は、厚み方向に積層された２枚の液晶表示素子１、２を有した液晶表示装置である。前記液晶表示装置においては、前記液晶１１４、１１５は９０°の左ツイストで、液晶層厚ｄＬＣ＝２μｍ、位相差値ΔｎＬＣ・ｄＬＣ＝４１０ｎｍとなるように設定されており、図２に示すように、第１液晶表示パネル３の視認側に配置される透明基板１００の配向膜１０８の配向軸と、第２液晶表示パネル４の視認側に配置される透明基板１０２の配向膜１１０の配向軸との公差角を８０°に設定されている。
【００３２】
また、前記第１液晶表示パネル３の視認側に配置された偏光板（第１偏光板）５と反視認側に配置された偏光板（第２偏光板）６、および第２液晶表示パネル４の視認側に配置された偏光板（第３偏光板）７と反視認側に配置された偏光板（第４偏光板）８は、それぞれ偏光軸を直交させて配置されている。
【００３３】
さらに、各液晶表示パネル３、４の視認側に配設された第１偏光板５および第３偏光板７の偏光軸は、それぞれの液晶表示パネル３、４の視認側に配設された透明基板１００、１０２の配向膜１０８、１１０の配向軸と直交し、かつ、各液晶表示パネル３、４の反視認側に配設された第２偏光板６および第４偏光板８の偏光軸は、それぞれの液晶表示パネル３、４の反視認側に配設された透明基板１０１、１０３の配向膜１０９、１１１の配向軸と直交するように配設されている。
【００３４】
なお、前記第１液晶表示素子１および第２液晶表示素子２を構成する前記第１偏光板５乃至第４偏光板８としては、いずれもニュートラルな偏光板（ポラテクノ社製商品：ＳＫＮ−１８２４３Ｔ）を使用した。
【００３５】
この液晶表示装置を試料とし、１８０Ｈｚでスタティック駆動させた場合における、コントラストの視野角依存性を図３に示す。
【００３６】
図３中、同心円とされ、１０°間隔で０〜５０°まで示された円状のラインは、液晶表示装置の表示面の法線からの傾き角（θ）を示しており、同図の中心点から放射状に延在し、同図を１２分割するラインは、液晶表示装置の表示面の３時方向を０°と仮定した場合における反時計方向の角度（φ）を示している（以下の実施例および比較例における図５，７，９，１１，１３，１４において同じ）。
【００３７】
この結果、本実施例の液晶表示装置は、観者の視線をφ１８０〜３６０°（図３における下方向）の領域でθ０〜５０°とするまでにおいて、大方のところで２００以上のコントラスト比を得て、良好なカラー表示の視認性を示すことができ、広視野角化を実現するものとなった。
【００３８】
また、本実施例の液晶表示装置の応答速度は２ｍｓであった。
【００３９】
なお、ここでいう応答速度とは、前記透明電極に対してオン・オフの電圧を印加したときに、透過光が所定値に達するまでの時間である（以下の実施例および比較例において同じ）。
【００４０】
［実施例２］
本実施例の液晶表示装置は、厚み方向に積層された２枚の液晶表示素子１、２を有した液晶表示装置である。前記実施例の液晶表示装置においては、前記液晶１１４、１１５は９０°の左ツイストで、液晶層厚ｄＬＣ＝２μｍ、位相差値ΔｎＬＣ・ｄＬＣ＝４１０ｎｍとなるように設定されており、図４に示すように、第１液晶表示パネル３の視認側に配置される透明基板１００の配向膜１０８の配向軸と、第２液晶表示パネル４の視認側に配置される透明基板１０２の配向膜１１０の配向軸との公差角を７０°に設定されている。
【００４１】
また、前記第１液晶表示パネル３の視認側に配置された第１偏光板５と反視認側に配置された第２偏光板６、および第２液晶表示パネル４の視認側に配置された第３偏光板７と反視認側に配置された第４偏光板８は、それぞれ偏光軸を直交させて配置されている。
【００４２】
さらに、各液晶表示パネル３、４の視認側に配設された第１偏光板５および第３偏光板７の偏光軸は、それぞれの液晶表示パネル３、４の視認側に配設された透明基板１００、１０２の配向膜１０８、１１０の配向軸と直交し、かつ、各液晶表示パネル３、４の反視認側に配設された第２偏光板６および第４偏光板の偏光軸８は、それぞれの液晶表示パネル３、４の反視認側に配設された透明基板１０１、１０３の配向膜１０９、１１１の配向軸と直交するように配設されている。
【００４３】
なお、前記第１液晶表示素子１および第２液晶表示素子２を構成する前記第１偏光板５乃至第４偏光板８としては、いずれもニュートラルな偏光板（ポラテクノ社製商品：ＳＫＮ−１８２４３Ｔ）を使用した。
【００４４】
この液晶表示装置を試料とし、１８０Ｈｚでスタティック駆動させた場合における、コントラストの視野角依存性を図５に示す。
【００４５】
この結果、本実施例の液晶表示装置は、観者の視線をφ１６５〜３７５（１５）°（図５における略下方向）の領域でθ０〜５０°とするまでにおいて、大方のところで２００以上のコントラスト比を得て、良好なカラー表示の視認性を示すことができ、広視野角化を実現するものとなった。
【００４６】
また、本実施例の液晶表示装置の応答速度は２ｍｓであった。
【００４７】
［実施例３］
本実施例の液晶表示装置は、厚み方向に積層された２枚の液晶表示素子１、２を有した液晶表示装置である。前記実施例の液晶表示装置においては、前記液晶１１４、１１５は９０°の左ツイストで、液晶層厚ｄＬＣ＝２μｍ、位相差値ΔｎＬＣ・ｄＬＣ＝４１０ｎｍとなるように設定されており、図６に示すように、第１液晶表示パネル３の視認側に配置される透明基板１００の配向膜１０８の配向軸と、第２液晶表示パネル４の視認側に配置される透明基板１０２の配向膜１１０の配向軸との公差角を６０°に設定されている。
【００４８】
また、前記第１液晶表示パネル３の視認側に配置された第１偏光板５と反視認側に配置された第２偏光板６、および第２液晶表示パネル４の視認側に配置された第３偏光板７と反視認側に配置された第４偏光板８は、それぞれ偏光軸を直交させて配置されている。
【００４９】
さらに、各液晶表示パネル３、４の視認側に配設された第１偏光板５および第３偏光板７の偏光軸は、それぞれの液晶表示パネル３、４の視認側に配設された透明基板１００、１０２の配向膜１０８、１１０の配向軸と直交し、かつ、各液晶表示パネル３、４の反視認側に配設された第２偏光板６および第４偏光板の偏光軸８は、それぞれの液晶表示パネル３、４の反視認側に配設された透明基板１０１、１０３の配向膜１０９、１１１の配向軸と直交するように配設されている。
【００５０】
なお、前記第１液晶表示素子１および第２液晶表示素子２を構成する前記第１偏光板５乃至第４偏光板８としては、いずれもニュートラルな偏光板（ポラテクノ社製商品：ＳＫＮ−１８２４３Ｔ）を使用した。
【００５１】
この液晶表示装置を試料とし、１８０Ｈｚでスタティック駆動させた場合における、コントラストの視野角依存性を図７に示す。
【００５２】
この結果、本実施例の液晶表示装置は、観者の視線をφ１６５〜３７５（１５）°（図７における略下方向）の領域でθ０〜５０°とするまでにおいて２００以上のコントラスト比をほぼ確実に得るとともに、残りの領域（図７における略上方向）においても、例えば、φ４５〜７５°、φ１０５〜１３５°の領域ではθ０〜５０°とするまでにおいて２００以上のコントラスト比を得て、良好なカラー表示の視認性を示すことができ、広視野角化を実現するものとなった。
【００５３】
また、本実施例の液晶表示装置の応答速度は２ｍｓであった。
【００５４】
［実施例４］
本実施例の液晶表示装置は、厚み方向に積層された２枚の液晶表示素子１、２を有した液晶表示装置である。前記実施例の液晶表示装置においては、前記液晶は９０°の左ツイストで、液晶層厚ｄＬＣ＝２μｍ、位相差値ΔｎＬＣ・ｄＬＣ＝４１０ｎｍとなるように設定されており、図８に示すように、第１液晶表示パネル３の視認側に配置される透明基板１００の配向膜１０８の配向軸と、第２液晶表示パネル４の視認側に配置される透明基板１０２の配向膜１１０の配向軸との公差角を９０°に設定されている。
【００５５】
また、前記第１液晶表示パネル３の視認側に配置された第１偏光板５と反視認側に配置された第２偏光板６、および第２液晶表示パネル４の視認側に配置された第３偏光板７と反視認側に配置された第４偏光板８は、それぞれ偏光軸を直交させて配置されている。
【００５６】
さらに、各液晶表示パネル３、４の視認側に配設された第１偏光板５および第３偏光板７の偏光軸は、それぞれの液晶表示パネル３、４の視認側に配設された透明基板１００、１０２の配向膜１０８、１１０の配向軸と直交し、かつ、各液晶表示パネル３、４の反視認側に配設された第２偏光板６および第４偏光板の偏光軸８は、それぞれの液晶表示パネル３、４の反視認側に配設された透明基板１０１、１０３の配向膜１０９、１１１の配向軸と直交するように配設されている。
【００５７】
なお、前記第１液晶表示素子１および第２液晶表示素子２を構成する前記第１偏光板５乃至第４偏光板８としては、いずれもニュートラルな偏光板（ポラテクノ社製商品：ＳＫＮ−１８２４３Ｔ）を使用した。
【００５８】
この液晶表示装置を試料とし、１８０Ｈｚでスタティック駆動させた場合における、コントラストの視野角依存性を図９に示す。
【００５９】
この結果、本実施例の液晶表示装置は、観者の視線をφ１８０〜３６０°（図９における下方向）の領域でθ０〜５０°とするまでにおいて２００以上のコントラスト比を得て、まずまず良好なカラー表示の視認性を示すことができ、広視野角化を実現するものとなった。
【００６０】
また、本実施例の液晶表示装置の応答速度は２ｍｓであった。
【００６１】
［実施例５］
本実施例の液晶表示装置は、厚み方向に積層された２枚の液晶表示素子１、２を有した液晶表示装置である。前記実施例の液晶表示装置においては、前記液晶は９０°の左ツイストで、液晶層厚ｄＬＣ＝２μｍ、位相差値ΔｎＬＣ・ｄＬＣ＝４１０ｎｍとなるように設定されており、図１０に示すように、第１液晶表示パネル３の視認側に配置される透明基板１００の配向膜１０８の配向軸と、第２液晶表示パネル４の視認側に配置される透明基板１０２の配向膜１１０の配向軸との公差角を５０°に設定されている。
【００６２】
また、前記第１液晶表示パネル３の視認側に配置された第１偏光板５と反視認側に配置された第２偏光板６、および第２液晶表示パネル４の視認側に配置された第３偏光板７と反視認側に配置された第４偏光板８は、それぞれ偏光軸を直交させて配置されている。
【００６３】
さらに、各液晶表示パネル３、４の視認側に配設された第１偏光板５および第３偏光板７の偏光軸は、それぞれの液晶表示パネル３、４の視認側に配設された透明基板１００、１０２の配向膜１０８、１１０の配向軸と直交し、かつ、各液晶表示パネル３、４の反視認側に配設された第２偏光板６および第４偏光板の偏光軸８は、それぞれの液晶表示パネル３、４の反視認側に配設された透明基板１０１、１０３の配向膜１０９、１１１の配向軸と直交するように配設されている。
【００６４】
なお、前記第１液晶表示素子１および第２液晶表示素子２を構成する前記第１偏光板５乃至第４偏光板８としては、いずれも広視野角偏光板（ポラテクノ社製商品：ＳＫＮ−１８２４３ＷＬ）を使用した。
【００６５】
この液晶表示装置を試料とし、１８０Ｈｚでスタティック駆動させた場合における、コントラストの視野角依存性を図１１に示す。
【００６６】
この結果、本実施例の液晶表示装置は、観者の視線をφ０〜３６０°でθ０〜５０°のいずれの方向とした場合においても、ほぼ確実に２００以上のコントラスト比を得て、すこぶる良好なカラー表示の視認性を示すことができ、広視野角化を実現するものとなった。
【００６７】
また、本実施例の液晶表示装置の応答速度は２ｍｓであった。
【００６８】
［比較例（従来例）１］
本比較例の液晶表示装置は、１枚の液晶表示パネル２００と、この液晶表示パネル１１８を挟持する一対の偏光板２０１、２０２を有した液晶表示装置である。前記液晶表示パネル２００自体の構成は、前記実施例における各液晶表示パネル３、４と基本的に同様に構成されており、当該比較例の液晶表示装置においても、前記液晶（図示せず）は９０°の左ツイストで、液晶層厚ｄＬＣ＝２μｍ、位相差値ΔｎＬＣ・ｄＬＣ＝４１０ｎｍとなるように設定されており、図１２に示すように、前記一対の偏光板２０１、２０２の偏光軸は直交するように配置されている。
【００６９】
さらに、液晶表示パネルの視認側に配設される偏光板２０１の偏光軸は、液晶表示パネル２００の視認側に配設された透明基板の配向膜（図示せず）の配向軸と直交し、かつ、反視認側に配設される偏光板２０２の偏光軸は、液晶表示パネルの反視認側に配設された透明基板の配向膜（図示せず）の配向軸と直交するように配設されている。
【００７０】
なお、前記一対の偏光板２０１、２０２としては、いずれもニュートラルな偏光板（ポラテクノ社製商品：ＳＫＮ−１８２４３Ｔ）を使用した。
【００７１】
この液晶表示装置を試料とし、１８０Ｈｚでスタティック駆動させた場合における、コントラストの視野角依存性を図１３に示す。
【００７２】
この結果、本比較例の液晶表示装置においては、２００以上のコントラスト比を得ることのできる視角領域が、φ３０°付近におけるθ０〜３０°の範囲、φ１６０°付近におけるθ０〜４０°の範囲およびφ１８０〜３６０°におけるφ０〜１５乃至２０°の範囲にほぼ限られており、非常に狭い視野角であった。
【００７３】
［比較例（従来例）２］
本比較例の液晶表示装置は、前述した比較例１の液晶表示装置と略同様の構成を有するが、前記一対の偏光板２０１、２０２として、いずれも広視野角偏光板（ポラテクノ社製商品：ＳＫＮ−１８２４３ＷＬ）を使用した点で異なるものである。
【００７４】
この液晶表示装置を試料とし、１８０Ｈｚでスタティック駆動させた場合における、コントラストの視野角依存性を図１４に示す。
【００７５】
この結果、本比較例の液晶表示装置においては、２００以上のコントラスト比を得ることのできる視角領域は、前記比較例１よりは広くなったものの、例えば、θ５０°の場合はφ３７〜４５°の一方向、θ４０°の場合はφ３０〜５０°、φ１３５〜１５０°、φ２１５〜２５０°およびφ３００〜３３０°の僅か四方向においてしか得ることができず、その視野角は未だ十分なものではなかった。
【００７６】
これらの実験から、ＴＮ型液晶１１４、１１５を封入した前記第１液晶表示素子１と第２液晶表示素子２とを、第１液晶表示パネル３の視認側に配置される透明基板１００の配向膜１０８の配向軸と、第２液晶表示パネル４の視認側に配置される透明基板１０２の配向膜１１０の配向軸との公差角が５０〜９０°、好ましくは５０〜８５°となるように配置した構成とすることで、特に、下方向および左右両方向の視角からのコントラストを良好なものとすることができることがわかった。また、その際に、偏光板５、６、７、８として広視野角偏光板を用いることにより、その効果は倍増することもわかった。
【００７７】
そして、このようにして広視野角化が実現された液晶表示装置であれば、駅や空港等の各種案内表示板やメッセージボードといった比較的大型の表示装置として、観者が見上げる位置に配置されような場合であっても、良好なカラー表示の視認性（高コントラスト）を示すことができる。
【００７８】
なお、本発明は、前述した実施形態および実施例に限定されるものではなく、必要に応じて種々の変更が可能である。
【００７９】
【発明の効果】
以上説明したように、本発明によれば、フィールドシーケンシャル方式の液晶表示装置において、下方向あるいは左右両方向からであっても、その視角からの最適なコントラストの表示を可能とし、高精細で、良好な視認性を得ることができるという効果を奏する。
【図面の簡単な説明】
【図１】本実施形態の液晶表示装置の積層構造を示す縦断面図
【図２】実施例１の液晶表示装置を構成する各偏光板の偏光軸と各液晶表示パネルの視認側および反視認側の配向膜の配光軸の軸配置図
【図３】実施例１の液晶表示装置のコントラストの視野角依存性を示す図
【図４】実施例２の液晶表示装置を構成する各偏光板の偏光軸と各液晶表示パネルの視認側および反視認側の配向膜の配光軸の軸配置図
【図５】実施例２の液晶表示装置のコントラストの視野角依存性を示す図
【図６】実施例３の液晶表示装置を構成する各偏光板の偏光軸と各液晶表示パネルの視認側および反視認側の配向膜の配光軸の軸配置図
【図７】実施例３の液晶表示装置のコントラストの視野角依存性を示す図
【図８】実施例４の液晶表示装置を構成する各偏光板の偏光軸と各液晶表示パネルの視認側および反視認側の配向膜の配光軸の軸配置図
【図９】実施例４の液晶表示装置のコントラストの視野角依存性を示す図
【図１０】実施例５の液晶表示装置を構成する各偏光板の偏光軸と各液晶表示パネルの視認側および反視認側の配向膜の配光軸の軸配置図
【図１１】実施例５の液晶表示装置のコントラストの視野角依存性を示す図
【図１２】比較例（従来例）１の液晶表示装置を構成する偏光板の偏光軸と液晶表示パネルの視認側および反視認側の配向膜の配向軸の軸配置図
【図１３】比較例（従来例）１の液晶表示装置のコントラストの視野角依存性を示す図
【図１４】比較例（従来例）２の液晶表示装置のコントラストの視野角依存性を示す図
【図１５】オン・オフの電圧を印加したときの液晶の配列と光の透過状態を示す説明図
【符号の説明】
１  第１液晶表示素子
２  第２液晶表示素子
３  第１液晶表示パネル
４  第２液晶表示パネル
５  第１偏光板
６  第２偏光板
７  第３偏光板
８  第４偏光板
１００  第１液晶表示パネルの視認側透明基板
１０１  第１液晶表示パネルの反視認側透明基板
１０２  第２液晶表示パネルの視認側透明基板
１０３  第２液晶表示パネルの反視認側透明基板
１０８  第１液晶表示パネルの視認側透明基板の配向膜
１１０  第２液晶表示パネルの視認側透明基板の配向膜
【図１】
2004233889.tif 000003
【図２】
2004233889.tif 000004
【図３】
2004233889.tif 000005
【図４】
2004233889.tif 000006
【図５】
2004233889.tif 000007
【図６】
2004233889.tif 000008
【図７】
2004233889.tif 000009
【図８】
2004233889.tif 000010
【図９】
2004233889.tif 000011
【図１０】
2004233889.tif 000012
【図１１】
2004233889.tif 000013
【図１２】
2004233889.tif 000014
【図１３】
2004233889.tif 000015
【図１４】
2004233889.tif 000016
【図１５】
2004233889.tif 000017